(57)【要約】【課題】出力装置の各領域から同一のコンテンツを出力することが可能であり、各領域からコンテンツを出力させるタイミングを制御することが可能な、新規かつ改良された技術を提供する。【解決手段】情報処理装置１００Ａは、コンテンツデータを再生することによってコンテンツデータの再生位置に相当する再生データを取得する再生部１２０と、再生部１２０によって取得された再生データを出力装置のうちで自装置に対応する領域から出力させる出力部１３０と、検知装置によって検知された所定の入力に基づいて制御装置によって生成されて出力された制御信号を取得する制御信号取得部１４０と、制御信号取得部１４０によって取得された制御信号に応じて出力部１３０による再生データの出力装置への出力を制御する出力制御部１５０と、を備える。【選択図】図７
2011081483.tif 000002
【特許請求の範囲】
【請求項１】
コンテンツデータを再生することによって前記コンテンツデータの再生位置に相当する再生データを取得する再生部と、
前記再生部によって取得された前記再生データを出力装置のうちで自装置に対応する領域から出力させる出力部と、
検知装置によって検知された所定の入力に基づいて制御装置によって生成されて出力された制御信号を取得する制御信号取得部と、
前記制御信号取得部によって取得された前記制御信号に応じて、前記出力部による前記再生データの前記出力装置への出力を制御する出力制御部と、
を備える、情報処理装置。
【請求項２】
前記コンテンツデータの前記再生位置に関して他の情報処理装置と同期をとるための同期信号を生成する同期信号生成部と、
前記同期信号生成部によって生成された前記同期信号を前記他の情報処理装置に送信する同期信号送信部と、
をさらに備える、請求項１に記載の情報処理装置。
【請求項３】
前記再生部は、
前記コンテンツデータの前記再生位置を示す再生位置情報と、前記再生位置を再生した時刻を示す再生時刻情報とをさらに取得し、
前記同期信号生成部は、
前記再生部によって取得された前記再生位置情報と前記再生時刻情報とを含む前記同期信号を生成する、
請求項２に記載の情報処理装置。
【請求項４】
前記コンテンツデータの前記再生位置に関して他の情報処理装置と同期をとるための同期信号を受信する同期信号受信部と、
前記同期信号受信部によって受信された前記同期信号に基づいて前記コンテンツデータの前記再生位置を調整する再生位置調整部と、
をさらに備える、請求項１に記載の情報処理装置。
【請求項５】
前記再生部は、
前記コンテンツデータの前記再生位置を示す再生位置情報と前記再生位置を再生した時刻を示す再生時刻情報とをさらに取得し、
前記同期信号受信部は、
前記他の情報処理装置における前記コンテンツデータの前記再生位置を示す再生位置情報と前記他の情報処理装置において前記再生位置を再生した時刻を示す再生時刻情報とを含む前記同期信号を受信し、
前記再生位置調整部は、
前記同期信号受信部によって受信された前記同期信号から前記再生位置情報と前記再生時刻情報とを抽出し、抽出した前記再生位置情報と前記再生時刻情報と、前記再生部によって取得された前記再生位置情報と前記再生時刻情報とに基づいて前記再生部による前記コンテンツデータの再生を調整する、
請求項４に記載の情報処理装置。
【請求項６】
前記制御信号取得部は、
前記所定の入力に基づいて前記制御装置によって算出されたオフセットを含む前記制御信号を取得し、
前記出力制御部は、
前記制御信号取得部によって取得された前記制御信号から前記オフセットを抽出し、抽出した前記オフセットの分だけ前記再生データをシフトさせることによってシフト後の再生データを生成し、
前記出力部は、
前記出力制御部によって生成された前記シフト後の再生データを前記出力装置のうちで自装置に対応する領域から出力させる、
請求項１に記載の情報処理装置。
【請求項７】
コンテンツデータを再生することによって前記コンテンツデータの再生位置に相当する再生データを取得するステップと、
前記再生部によって取得された前記再生データを出力装置のうちで自装置に対応する領域から出力させるステップと、
検知装置によって検知された所定の入力に基づいて制御装置によって生成されて出力された制御信号を取得するステップと、
前記制御信号取得部によって取得された前記制御信号に応じて、前記出力部による前記再生データの前記出力装置への出力を制御するステップと、
を含む、情報処理方法。
【請求項８】
コンテンツデータを再生することによって前記コンテンツデータの再生位置に相当する再生データを取得する再生部と、
前記再生部によって取得された前記再生データを出力装置のうちで自装置に対応する第１領域から出力させる出力部と、
検知装置によって検知された所定の入力に基づいて制御装置によって生成されて出力された第１制御信号を取得する制御信号取得部と、
前記制御信号取得部によって取得された前記第１制御信号に応じて、前記出力部による前記再生データの前記出力装置への出力を制御する出力制御部と、
を備える、第１情報処理装置と、
コンテンツデータを再生することによって前記コンテンツデータの再生位置に相当する再生データを取得する再生部と、
前記再生部によって取得された前記再生データを前記出力装置のうちで自装置に対応する第２領域から出力させる出力部と、
検知装置によって検知された所定の入力に基づいて前記制御装置によって生成されて出力された第２制御信号を取得する制御信号取得部と、
前記制御信号取得部によって取得された前記第２制御信号に応じて、前記出力部による前記再生データの前記出力装置への出力を制御する出力制御部と、
を備える、第２情報処理装置と、
を有する、情報処理システム。
【請求項９】
前記第１情報処理装置は、
前記コンテンツデータの前記再生位置に関して前記第２情報処理装置と同期をとるための同期信号を生成する同期信号生成部と、
前記同期信号生成部によって生成された前記同期信号を前記第２情報処理装置に送信する同期信号送信部と、
をさらに備える、請求項８に記載の情報処理システム。
【請求項１０】
前記第２情報処理装置は、
前記コンテンツデータの前記再生位置に関して前記第１情報処理装置と同期をとるための同期信号を受信する同期信号受信部と、
前記同期信号受信部によって受信された前記同期信号に基づいて前記コンテンツデータの前記再生位置を調整する再生位置調整部と、
をさらに備える、請求項８に記載の情報処理システム。
【請求項１１】
制御装置と、第１情報処理装置と、第２情報処理装置と、を有する、情報処理システムであって、
前記制御装置は、
検知装置によって検知された所定の入力を前記検知装置から取得する取得部と、
前記取得部によって取得された前記所定の入力に基づいて第１制御信号と第２制御信号とを生成する制御信号生成部と、
前記制御信号生成部によって生成された前記第１制御信号を前記第１情報処理装置に出力するとともに前記第２制御信号を前記第２情報処理装置に出力する出力部と、
を備え、
前記第１情報処理装置は、
コンテンツデータを再生することによって前記コンテンツデータの再生位置に相当する再生データを取得する再生部と、
前記再生部によって取得された前記再生データを出力装置のうちで自装置に対応する第１領域から出力させる出力部と、
検知装置によって検知された所定の入力に基づいて前記制御装置によって生成されて出力された第１制御信号を取得する制御信号取得部と、
前記制御信号取得部によって取得された前記第１制御信号に応じて、前記出力部による前記再生データの前記出力装置への出力を制御する出力制御部と、
を備え、
前記第２情報処理装置は、
コンテンツデータを再生することによって前記コンテンツデータの再生位置に相当する再生データを取得する再生部と、
前記再生部によって取得された前記再生データを前記出力装置のうちで自装置に対応する第２領域から出力させる出力部と、
検知装置によって検知された所定の入力に基づいて前記制御装置によって生成されて出力された第２制御信号を取得する制御信号取得部と、
前記制御信号取得部によって取得された前記第２制御信号に応じて、前記出力部による前記再生データの前記出力装置への出力を制御する出力制御部と、
を備える、情報処理システム。
【請求項１２】
前記制御装置の前記制御信号生成部は、
前記取得部によって取得された前記所定の入力に基づいて人物を検知し、検知した前記人物の数に基づいて前記第１制御信号と前記第２制御信号とを生成する、
請求項１１に記載の情報処理システム。
【請求項１３】
前記制御装置の前記制御信号生成部は、
前記取得部によって取得された前記所定の入力に基づいて人物を検知し、検知した前記人物を解析することによって前記人物の属性を抽出し、抽出した前記属性に基づいて前記第１制御信号と前記第２制御信号とを生成する、
請求項１１に記載の情報処理システム。
【発明の詳細な説明】
【技術分野】
【０００１】
本発明は、情報処理装置、情報処理方法および情報処理システムに関する。
【背景技術】
【０００２】
近年、コンテンツには、映像、音声、テキストなどといった様々なものがある。コンテンツの一例としての映像を表示する技術として、例えば、内容の異なる複数のプログラムからなる静止画データを記憶し、制御手段の制御により順次にプログラムを選択し、選択したプログラムに対応する静止画データをディスプレイ装置に供給する技術が開示されている（例えば、特許文献１参照）。この技術によれば、表示内容の異なる複数の静止画データを、例えば、電車が通過するたびに切り替えて表示することができる。例えば、電車の乗客は、複数の静止画データを１枚ずつ連続的に見ることができるので、動画を見るのと同様の効果を得ることができる。
【先行技術文献】
【特許文献】
【０００３】
【特許文献１】特開２０００−１７２２２１号公報
【発明の概要】
【発明が解決しようとする課題】
【０００４】
しかしながら、特許文献１に開示された技術は、各ディスプレイ装置に異なるコンテンツを表示させるものであり、各ディスプレイ装置に同一のコンテンツを表示させるものではない。また、特許文献１に開示された技術は、各ディスプレイ装置にコンテンツを独立して表示させるものであり、各ディスプレイ装置に表示させる各コンテンツを制御するものではない。
【０００５】
そこで、本発明は、上記問題に鑑みてなされたものであり、本発明の目的とするところは、出力装置のうちの各領域のそれぞれから同一のコンテンツを出力させることが可能であり、各領域から出力させる各コンテンツを制御することが可能な、新規かつ改良された技術を提供することにある。
【課題を解決するための手段】
【０００６】
上記課題を解決するために、本発明のある観点によれば、コンテンツデータを再生することによってコンテンツデータの再生位置に相当する再生データを取得する再生部と、再生部によって取得された再生データを出力装置のうちで自装置に対応する領域から出力させる出力部と、検知装置によって検知された所定の入力に基づいて制御装置によって生成されて出力された制御信号を取得する制御信号取得部と、制御信号取得部によって取得された制御信号に応じて、出力部による再生データの出力装置への出力を制御する出力制御部と、を備える、情報処理装置が提供される。
【０００７】
情報処理装置は、コンテンツデータの再生位置に関して他の情報処理装置と同期をとるための同期信号を生成する同期信号生成部と、同期信号生成部によって生成された同期信号を他の情報処理装置に送信する同期信号送信部と、をさらに備えることとしてもよい。
【０００８】
再生部は、コンテンツデータの再生位置を示す再生位置情報と、再生位置を再生した時刻を示す再生時刻情報とをさらに取得し、同期信号生成部は、再生部によって取得された再生位置情報と再生時刻情報とを含む同期信号を生成することとしてもよい。
【０００９】
情報処理装置は、コンテンツデータの再生位置に関して他の情報処理装置と同期をとるための同期信号を受信する同期信号受信部と、同期信号受信部によって受信された同期信号に基づいてコンテンツデータの再生位置を調整する再生位置調整部と、をさらに備えることとしてもよい。
【００１０】
再生部は、コンテンツデータの再生位置を示す再生位置情報と再生位置を再生した時刻を示す再生時刻情報とをさらに取得し、同期信号受信部は、他の情報処理装置におけるコンテンツデータの再生位置を示す再生位置情報と他の情報処理装置において再生位置を再生した時刻を示す再生時刻情報とを含む同期信号を受信し、再生位置調整部は、同期信号受信部によって受信された同期信号から再生位置情報と再生時刻情報とを抽出し、抽出した再生位置情報と再生時刻情報と、再生部によって取得された再生位置情報と再生時刻情報とに基づいて再生部によるコンテンツデータの再生を調整することとしてもよい。
【００１１】
制御信号取得部は、所定の入力に基づいて制御装置によって算出されたオフセットを含む制御信号を取得し、出力制御部は、制御信号取得部によって取得された制御信号からオフセットを抽出し、抽出したオフセットの分だけ再生データをシフトさせることによってシフト後の再生データを生成し、出力部は、出力制御部によって生成されたシフト後の再生データを出力装置のうちで自装置に対応する領域から出力させることとしてもよい。
【発明の効果】
【００１２】
以上説明したように本発明によれば、出力装置のうちの各領域のそれぞれから同一のコンテンツを出力させることが可能であり、各領域から出力させる各コンテンツを制御することが可能である。
【図面の簡単な説明】
【００１３】
【図１】本発明の第１実施形態に係る出力装置によるコンテンツ出力例（その１）を示す図である。
【図２】同実施形態にかかる出力装置によるコンテンツ出力例（その２）を示す図である。
【図３】同実施形態にかかる出力装置によるコンテンツ出力例（その３）を示す図である。
【図４】同実施形態にかかる出力装置によるコンテンツ出力例（検出属性に応じたコンテンツ出力例）を示す図である。
【図５】同実施形態にかかる出力装置によるコンテンツ出力例（検出人数に応じたコンテンツ出力例）を示す図である。
【図６】同実施形態にかかる情報処理システムの構成例を示す図である。
【図７】同実施形態にかかる第１情報処理装置の機能構成例を示す図である。
【図８】同実施形態にかかる第２情報処理装置の機能構成例を示す図である。
【図９】同実施形態にかかる制御装置の機能構成例を示す図である。
【図１０】同実施形態にかかる第１情報処理装置と第２情報処理装置とにおける同期処理について説明するための図である。
【図１１】同実施形態にかかる制御装置によって実行される処理の流れを示すフローチャートである。
【図１２】同実施形態にかかる第１情報処理装置によって実行される処理の流れを示すフローチャートである。
【図１３】同実施形態にかかる第２情報処理装置によって実行される処理の流れを示すフローチャートである。
【図１４】本発明の第２実施形態に係る出力装置によるコンテンツ出力例（その１）を示す図である。
【図１５】同実施形態にかかる出力装置によるコンテンツ出力例（その２）を示す図である。
【図１６】同実施形態にかかる出力装置によるコンテンツ出力例（その３）を示す図である。
【図１７】同実施形態にかかる情報処理システムの構成例を示す図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．第１実施形態（出力装置が単数の場合）
１−１．  出力装置によるコンテンツ出力例（その１）
１−２．  出力装置によるコンテンツ出力例（その２）
１−３．  出力装置によるコンテンツ出力例（その３）
１−４．  出力装置によるコンテンツ出力例（検出属性に応じたコンテンツ出力例）
１−５．  出力装置によるコンテンツ出力例（検出人数に応じたコンテンツ出力例）
１−６．  情報処理システムの構成例
１−７．  第１情報処理装置の機能構成例
１−８．  第２情報処理装置の機能構成例
１−９．  制御装置の機能構成例
１−１０．第１情報処理装置と第２情報処理装置とにおける同期処理
１−１１．制御装置によって実行される処理の流れ
１−１２．第１情報処理装置によって実行される処理の流れ
１−１３．第２情報処理装置によって実行される処理の流れ
２．第２実施形態（出力装置が複数の場合）
２−１．  出力装置によるコンテンツ出力例（その１）
２−２．  出力装置によるコンテンツ出力例（その２）
２−３．  出力装置によるコンテンツ出力例（その３）
２−４．  情報処理システムの構成例
３．変形例
４．まとめ
【００１６】
＜１．第１実施形態（出力装置が単数の場合）＞
［１−１．出力装置によるコンテンツ出力例（その１）］
図１は、本発明の第１実施形態に係る出力装置によるコンテンツ出力例（その１）を示す図である。図１を参照して、本発明の第１実施形態に係る出力装置によるコンテンツ出力例（その１）について説明する。
【００１７】
図１に示すように、本発明の第１実施形態にかかる出力装置３００は、コンテンツデータを再生して得られる再生データＰ１を出力するための第１領域３１０と第２領域３２０とを備えている。コンテンツデータとしては、映像データや、音声データ、テキストデータなどを使用することができるが、コンテンツデータの種類は特に限定されるものではない。なお、本実施形態では、出力装置３００は、２つの領域（第１領域３１０および第２領域３２０）を備えることとするが、領域の数は複数であれば特に限定されるものではない。また、本実施形態では、出力装置３００としてディスプレイ装置を使用することとするが、出力装置３００は、ディスプレイ装置に限定されるものではなく、本実施形態で使用されるコンテンツデータの種類に応じて変更することができる。例えば、コンテンツデータとして音声データを使用する場合には、出力装置３００としてスピーカを使用することも可能である。
【００１８】
本発明の第１実施形態では、第１領域３１０と第２領域３２０とは、センターラインＣを境界線として分割され、第１領域３１０と第２領域３２０とは同一の形状および同一の大きさを有することとする。しかしながら、第１領域３１０と第２領域３２０とは、異なる形状を有するものであってもよく、異なる大きさを有するものであってもよい。第１領域３１０と第２領域３２０との大きさが異なる場合には、第１領域３１０と第２領域３２０とにそれぞれ表示される内容が同じ大きさになるように拡大または縮小されることとすることもできる。
【００１９】
また、図１に示すように、検知装置４００が所定の位置に備えられている。なお、本実施形態では、検知装置４００としてカメラを使用し、カメラによって取得された画像から人物Ｍの顔の位置が検出され、検出された顔の位置に応じて人物Ｍが第１領域３１０の前に存在するか第２領域３２０の前に存在するかについて検出されることとする。また、人物Ｍが第１領域３１０の前に存在すると検出された場合には、図１に示すように、第１領域３１０から再生データＰ１が出力される。これによって、人物Ｍに近い場所から再生データＰ１を出力させることが可能となる。
【００２０】
図１に示した例では、再生データＰ１のサイズは、第１領域３１０のサイズや第２領域３２０のサイズと同じであるが、再生データＰ１のサイズは、第１領域３１０のサイズや第２領域３２０のサイズより小さくてもよいし、大きくてもよい。検知装置４００は、少なくとも第１領域３１０と第２領域３２０とのうちのいずれから再生データＰ１を出力させるかを選択するための所定のトリガを検知することが可能なものであればよく、特に限定されるものではない。例えば、人物Ｍの検出をトリガとして検知するために、検知装置４００として赤外線センサを使用することもできる。
【００２１】
また、本実施形態では、検知装置４００は１台であることとするが、複数台設置されることとしてもよい。例えば、人物ＭがＲＦＩＤ（Ｒａｄｉｏ  Ｆｒｅｑｕｅｎｃｙ  ＩＤｅｎｔｉｆｉｃａｔｉｏｎ）タグを所持する場合には、人物Ｍの検出をトリガとして検知するために、第１領域３１０に対応する第１読取装置を検知装置４００として（例えば、第１領域３１０の近隣に）設置し、第２領域３２０に対応する第２読取装置を検知装置４００として（例えば、第２領域３２０の近隣に）設置することとしてもよい。その場合には、第１読取装置がＲＦＩＤタグを読み取ると第１領域３１０から再生データＰ１が出力され、第２読取装置がＲＦＩＤタグを読み取ると第２領域３２０から再生データＰ１が出力される。
【００２２】
また、検知装置４００は、人物Ｍによってなされる操作をトリガとして検知することとしてもよい。例えば、第１領域３１０に対応する第１ボタンを検知装置４００として（例えば、第１領域３１０の近隣に）設置し、第２領域３２０に対応する第２ボタンを検知装置４００として（例えば、第２領域３２０の近隣に）設置することとしてもよい。その場合には、第１ボタンが人物Ｍによって押下されると第１領域３１０から再生データＰ１が出力され、第２ボタンが人物Ｍによって押下されると第２領域３２０から再生データＰ１が出力される。
【００２３】
また、検知装置４００として方向を指示するためのコントローラ（ジョイスティックなど）を使用することとしてもよい。その場合には、人物Ｍによってコントローラに入力された方向に従って第１領域３１０と第２領域３２０とのうちのいずれから再生データＰ１を出力させるかについて選択されることとしてもよい。
【００２４】
［１−２．出力装置によるコンテンツ出力例（その２）］
図２は、本発明の第１実施形態に係る出力装置によるコンテンツ出力例（その２）を示す図である。図２を参照して、本発明の第１実施形態に係る出力装置によるコンテンツ出力例（その２）について説明する。
【００２５】
図２に示すように、人物Ｍが、第１領域３１０の前から第２領域３２０の前に向かって移動しているとする。このような場合には、例えば、人物Ｍが第１領域３１０の前と第２領域３２０の前との間に存在することが検出される。このような場合には、第１領域３１０から再生データＰ１の一部を出力させ、第２領域３２０から残りの部分を出力させることもできる。これによって、より高い精度で人物Ｍに近い場所から再生データＰ１を出力させることができる。
【００２６】
［１−３．出力装置によるコンテンツ出力例（その３）］
図３は、本発明の第１実施形態に係る出力装置によるコンテンツ出力例（その３）を示す図である。図３を参照して、本発明の第１実施形態に係る出力装置によるコンテンツ出力例（その３）について説明する。
【００２７】
図３に示すように、人物Ｍが、第２領域３２０の前に移動したとする。このような場合には、例えば、人物Ｍが第２領域３２０の前に存在することが検出され、第２領域３２０から再生データＰ１が出力される。これによって、人物Ｍに近い場所から再生データＰ１を出力させることが可能となる。
【００２８】
［１−４．出力装置によるコンテンツ出力例（検出属性に応じたコンテンツ出力例）］
図４は、本発明の第１実施形態に係る出力装置によるコンテンツ出力例（検出属性に応じたコンテンツ出力例）を示す図である。図４を参照して、本発明の第１実施形態に係る出力装置によるコンテンツ出力例（検出属性に応じたコンテンツ出力例）について説明する。
【００２９】
図４に示すように、人物Ｆが第１領域３１０の前に存在することとする。このような場合には、例えば、人物Ｆが第１領域３１０の前に存在することが検出される。ここで、検出された人物Ｆが解析され、解析された結果として抽出された属性に基づいて第１領域３１０から出力させる再生データが決定されることとしてもよい。例えば、図４に示すように、人物Ｆの属性として人物Ｆの性別（女性）を抽出した場合には、女性向けの再生データＰ２が第１領域３１０から出力されることとしてもよい。なお、人物の属性は、人物の性別に限定されるものではなく、人物の年齢などであってもよい。
【００３０】
［１−５．出力装置によるコンテンツ出力例（検出人数に応じたコンテンツ出力例）］
図５は、本発明の第１実施形態に係る出力装置によるコンテンツ出力例（検出人数に応じたコンテンツ出力例）を示す図である。図５を参照して、本発明の第１実施形態に係る出力装置によるコンテンツ出力例（検出人数に応じたコンテンツ出力例）について説明する。
【００３１】
図５に示すように、人物Ｍが第１領域３１０の前に存在し、人物Ｈ１と人物Ｈ２とが第２領域３２０の前に存在することとする。このような場合には、例えば、人物Ｆが第１領域３１０の前に存在することが検出され、人物Ｈ１と人物Ｈ２とが第２領域３２０の前に存在することが検出される。ここで、検出された人物の数に応じた位置から再生データＰ１が出力されることとしてもよい。例えば、図５に示すように、第１領域３１０の前には人物が１人（人物Ｍのみの１人）存在するのに対して、第２領域３２０の前には人物が２人（人物Ｈ１および人物Ｈ２の２人）存在する。したがって、第２領域３２０の前に存在する人物の数のほうが第１領域３１０の前に存在する人物の数よりも多いので、再生データＰ１が第２領域３２０から出力されることとしてもよい。
【００３２】
また、第１領域３１０と第２領域３２０との双方から再生データが出力されることとしてもよい。その場合には、例えば、第１領域３１０からは人物Ｍの属性に応じた再生データが出力され、第２領域３２０からは人物Ｈ１や人物Ｈ２の属性に応じた再生データが出力されることとしてもよい。
【００３３】
［１−６．情報処理システムの構成例］
図６は、本発明の第１実施形態に係る情報処理システムの構成例を示す図である。図６を参照して、本発明の第１実施形態に係る情報処理システムの構成例について説明する。
【００３４】
図６に示すように、本発明の第１実施形態に係る情報処理システム１０Ａは、第１情報処理装置１００Ａと、第２情報処理装置１００Ｂと、制御装置２００と、出力装置３００と、検知装置４００と、を有するものである。以下において、情報処理システム１０Ａと後述する情報処理システム１０Ｂとを特に区別する必要がない場合には、情報処理システム１０Ａと情報処理システム１０Ｂとを情報処理システム１０と表記することにする。また、第１情報処理装置１００Ａと、第２情報処理装置１００Ｂとを特に区別する必要がない場合には、第１情報処理装置１００Ａと第２情報処理装置１００Ｂとを情報処理装置１００と表記することにする。
【００３５】
また、図６に示すように、情報処理装置１００は、ネットワーク５００に接続されるとともに、出力装置３００に接続されている。制御装置２００は、ネットワーク５００に接続されている。なお、本実施形態では、制御装置２００は、第１情報処理装置１００Ａや第２情報処理装置１００Ｂとは別個の装置として使用されることとするが、第１情報処理装置１００Ａに内蔵されることとしてもよいし、第２情報処理装置１００Ｂに内蔵されることとしてもよい。
【００３６】
検知装置４００は、制御装置２００に接続されている。なお、本実施形態では、検知装置４００は、制御装置２００に直接接続されていることとするが、制御装置２００以外の装置（例えば、第１情報処理装置１００Ａや第２情報処理装置１００Ｂ）に直接接続され、制御装置２００に間接的に接続されていることとしてもよい。また、上記したように、検知装置４００の数は特に限定されるものではない。
【００３７】
［１−７．第１情報処理装置の機能構成例］
図７は、本発明の第１実施形態に係る第１情報処理装置の機能構成例を示す図である。図７を参照して、本発明の第１実施形態に係る第１情報処理装置の機能構成例について説明する。
【００３８】
図７に示すように、第１情報処理装置１００Ａは、再生部１２０と、出力部１３０と、制御信号取得部１４０と、出力制御部１５０と、を備えるものであり、必要に応じて、コンテンツデータ記憶部１１０と、同期信号送信部１６０と、同期信号生成部１７０と、を備えるものである。同期信号送信部１６０と、同期信号生成部１７０とについては、図１０を参照して後述する。
【００３９】
コンテンツデータ記憶部１１０は、コンテンツデータを記憶する機能を有するものである。コンテンツデータ記憶部１１０は、例えば、ＨＤＤ（Ｈａｒｄ  Ｄｉｓｋ  Ｄｒｉｖｅ）や、不揮発性メモリなどによって構成される。なお、コンテンツデータの再生が開始される前からコンテンツデータを保持しておく場合には、コンテンツデータ記憶部１１０が必要となるが、コンテンツデータの再生が開始する際にネットワーク５００を介して他の装置からコンテンツデータを取得する場合には、コンテンツデータ記憶部１１０は存在しなくてもよい。その場合には、ネットワーク５００を介してコンテンツデータを他の装置から取得するコンテンツデータ取得部が必要となる。
【００４０】
再生部１２０は、コンテンツデータを再生することによってコンテンツデータの再生位置に相当する再生データＰ１を取得する機能を有する。再生対象となるコンテンツデータは、上記したように、コンテンツデータ記憶部１１０によって記憶されていてもよく、コンテンツデータ取得部によって取得されてもよい。再生部１２０は、制御信号取得部１４０によって取得された第１制御信号にコンテンツ識別情報が含まれている場合には、コンテンツ識別情報によって識別されるコンテンツを再生する。また、再生部１２０は、制御信号取得部１４０によって取得された第１制御信号に文字識別情報が含まれている場合には、文字識別情報によって識別される大きさや色の文字を出力部１３０に出力する。コンテンツ識別情報や文字識別情報としては、例えば、第１情報処理装置１００Ａの図示しない記憶部によって記憶されているものを使用することができる。再生部１２０は、例えば、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）によって構成され、ＨＤＤや不揮発性メモリなどによって記憶されているプログラムがＲＡＭに展開され、展開されたプログラムがＣＰＵによって実行されることによってその機能が実現されるものである。
【００４１】
出力部１３０は、再生部１２０によって取得された再生データＰ１を出力装置３００のうちで自装置に対応する領域である第１領域３１０から出力させる機能を有するものである。出力部１３０は、例えば、出力装置３００が準拠する規格に従った所定のコネクタなどによって構成されるものである。
【００４２】
制御信号取得部１４０は、検知装置４００によって検知された所定の入力に基づいて制御装置２００によって生成されて出力された第１制御信号を取得する機能を有するものである。所定の入力とは、上記した例では、少なくとも第１領域３１０と第２領域３２０とのうちのいずれから再生データＰ１を出力させるかを選択するための所定のトリガを意味するものである。制御信号取得部１４０は、例えば、ネットワーク５００を介して通信を行うための通信インタフェースなどによって構成されるものである。
【００４３】
出力制御部１５０は、制御信号取得部１４０によって取得された第１制御信号に応じて、出力部１３０による再生データＰ１の出力装置３００への出力を制御する機能を有するものである。出力制御部１５０は、例えば、第１制御信号に再生データＰ１を出力する旨を示す情報が含まれていると判断した場合には、図１に示すように、出力部１３０による再生データＰ１の第１領域３１０への出力を行わせる。また、出力制御部１５０は、例えば、第１制御信号に再生データＰ１を出力しない旨を示す情報が含まれていると判断した場合には、図３に示すように、出力部１３０による再生データＰ１の第１領域３１０への出力を行わせない。出力制御部１５０は、例えば、ＣＰＵやＲＡＭによって構成され、ＨＤＤや不揮発性メモリなどによって記憶されているプログラムがＲＡＭに展開され、展開されたプログラムがＣＰＵによって実行されることによってその機能が実現されるものである。
【００４４】
制御信号取得部１４０は、所定の入力に基づいて制御装置２００によって算出されたオフセットを含む第１制御信号を取得することとしてもよい。その場合には、出力制御部１５０は、制御信号取得部１４０によって取得された第１制御信号からオフセットを抽出し、抽出したオフセットの分だけ再生データＰ１をシフトさせることによってシフト後の再生データを生成する。出力部１３０は、出力制御部１５０によって生成されたシフト後の再生データを出力装置３００のうちで自装置に対応する領域である第１領域３１０から出力させる。
【００４５】
出力制御部１５０は、例えば、オフセットが「第１領域３１０から第２領域３２０への向きに５０％」である場合には、再生データＰ１の第１領域３１０から第２領域３２０の向きへの長さ（図２に示した例では、再生データＰ１の横の長さ）だけ再生データＰ１をシフトさせる。出力制御部１５０がシフト後の再生データを第１領域３１０から出力させると、図２に示したように、第１領域３１０にシフト後の再生データ（再生データＰ１の一部）が出力される。
【００４６】
［１−８．第２情報処理装置の機能構成例］
図８は、本発明の第１実施形態に係る第２情報処理装置の機能構成例を示す図である。図８を参照して、本発明の第１実施形態に係る第２情報処理装置の機能構成例について説明する。
【００４７】
図８に示すように、第２情報処理装置１００Ｂは、再生部１２０と、出力部１３０と、制御信号取得部１４０と、出力制御部１５０と、を備えるものであり、必要に応じて、コンテンツデータ記憶部１１０と、同期信号受信部１８０と、再生位置調整部１９０と、を備えるものである。同期信号受信部１８０と、再生位置調整部１９０とについては、図１０を参照して後述する。
【００４８】
コンテンツデータ記憶部１１０は、第２情報処理装置１００Ｂのコンテンツデータ記憶部１１０によって記憶されるコンテンツデータと同一のコンテンツデータを記憶する機能を有するものである。コンテンツデータ記憶部１１０は、例えば、ＨＤＤや、不揮発性メモリなどによって構成される。なお、コンテンツデータの再生が開始される前からコンテンツデータを保持しておく場合には、コンテンツデータ記憶部１１０が必要となるが、コンテンツデータの再生が開始する際にネットワーク５００を介して他の装置からコンテンツデータを取得する場合には、コンテンツデータ記憶部１１０は存在しなくてもよい。その場合には、ネットワーク５００を介してコンテンツデータを他の装置から取得するコンテンツデータ取得部が必要となる。
【００４９】
再生部１２０は、コンテンツデータを再生することによってコンテンツデータの再生位置に相当する再生データＰ１を取得する機能を有する。再生対象となるコンテンツデータは、上記したように、コンテンツデータ記憶部１１０によって記憶されていてもよく、コンテンツデータ取得部によって取得されてもよい。再生部１２０は、制御信号取得部１４０によって取得された第２制御信号にコンテンツ識別情報が含まれている場合には、コンテンツ識別情報によって識別されるコンテンツを再生する。また、再生部１２０は、制御信号取得部１４０によって取得された第２制御信号に文字識別情報が含まれている場合には、文字識別情報によって識別される大きさや色の文字を出力部１３０に出力する。コンテンツ識別情報や文字識別情報としては、例えば、第２情報処理装置１００Ｂの図示しない記憶部によって記憶されているものを使用することができる。再生部１２０は、例えば、ＣＰＵやＲＡＭによって構成され、ＨＤＤや不揮発性メモリなどによって記憶されているプログラムがＲＡＭに展開され、展開されたプログラムがＣＰＵによって実行されることによってその機能が実現されるものである。
【００５０】
出力部１３０は、再生部１２０によって取得された再生データＰ１を出力装置３００のうちで自装置に対応する領域である第２領域３２０から出力させる機能を有するものである。出力部１３０は、例えば、出力装置３００が準拠する規格に従った所定のコネクタなどによって構成されるものである。
【００５１】
制御信号取得部１４０は、検知装置４００によって検知された所定の入力に基づいて制御装置２００によって生成されて出力された第２制御信号を取得する機能を有するものである。所定の入力とは、上記した例では、少なくとも第１領域３１０と第２領域３２０とのうちのいずれから再生データＰ１を出力させるかを選択するための所定のトリガを意味するものである。制御信号取得部１４０は、例えば、ネットワーク５００を介して通信を行うための通信インタフェースなどによって構成されるものである。
【００５２】
出力制御部１５０は、制御信号取得部１４０によって取得された第２制御信号に応じて、出力部１３０による再生データＰ１の出力装置３００への出力を制御する機能を有するものである。出力制御部１５０は、例えば、第２制御信号に再生データＰ１を出力する旨を示す情報が含まれていると判断した場合には、図３に示すように、出力部１３０による再生データＰ１の第２領域３２０への出力を行わせる。また、出力制御部１５０は、例えば、第２制御信号に再生データＰ１を出力しない旨を示す情報が含まれていると判断した場合には、図１に示すように、出力部１３０による再生データＰ１の第２領域３２０への出力を行わせない。出力制御部１５０は、例えば、ＣＰＵやＲＡＭによって構成され、ＨＤＤや不揮発性メモリなどによって記憶されているプログラムがＲＡＭに展開され、展開されたプログラムがＣＰＵによって実行されることによってその機能が実現されるものである。
【００５３】
制御信号取得部１４０は、所定の入力に基づいて制御装置２００によって算出されたオフセットを含む第２制御信号を取得することとしてもよい。その場合には、出力制御部１５０は、制御信号取得部１４０によって取得された第２制御信号からオフセットを抽出し、抽出したオフセットの分だけ再生データＰ１をシフトさせることによってシフト後の再生データを生成する。出力部１３０は、出力制御部１５０によって生成されたシフト後の再生データを出力装置３００のうちで自装置に対応する領域である第１領域３１０から出力させる。
【００５４】
出力制御部１５０は、例えば、オフセットが「第２領域３２０から第１領域３１０への向きに５０％」である場合には、再生データＰ１の第２領域３２０から第１領域３１０の向きへの長さ（図２に示した例では、再生データＰ１の横の長さ）だけ再生データＰ１をシフトさせる。出力制御部１５０がシフト後の再生データを第２領域３２０から出力させると、図２に示したように、第２領域３２０にシフト後の再生データ（再生データＰ１の残りの部分）が出力される。
【００５５】
［１−９．制御装置の機能構成例］
図９は、本発明の第１実施形態に係る制御装置の機能構成例を示す図である。図９を参照して、本発明の第１実施形態に係る制御装置の機能構成例について説明する。
【００５６】
図９に示すように、制御装置２００は、取得部２１０と、制御信号生成部２２０と、出力部２３０と、を備えるものである。
【００５７】
取得部２１０は、検知装置４００によって検知された所定の入力を検知装置４００から取得する機能を有するものである。上記したように、取得部２１０は、検知装置４００から所定の入力を直接取得してもよいし、検知装置４００から第１情報処理装置１００Ａや第２情報処理装置１００Ｂなどを介して間接的に取得してもよい。取得部２１０は、例えば、検知装置４００から所定の入力を直接取得する場合には、検知装置４００が準拠する規格に従った所定のコネクタなどによって構成されるものである。また、取得部２１０は、例えば、検知装置４００から所定の入力を第１情報処理装置１００Ａや第２情報処理装置１００Ｂなどを介して間接的に取得する場合には、ネットワーク５００を介して通信を行うための通信インタフェースなどによって構成されるものである。
【００５８】
制御信号生成部２２０は、取得部２１０によって取得された所定の入力に基づいて第１制御信号と第２制御信号とを生成する機能を有するものである。所定の入力とは、上記した例では、少なくとも第１領域３１０と第２領域３２０とのうちのいずれから再生データＰ１を出力させるかを選択するための所定のトリガを意味するものである。
【００５９】
制御信号生成部２２０は、例えば、検知装置４００によって取得された画像から人物Ｍの顔の位置を検出し、検出した顔の位置に応じて人物Ｍが第１領域３１０の前に存在するか第２領域３２０の前に存在するかについて検出する。制御信号生成部２２０は、例えば、人物Ｍが第１領域３１０の前に存在することを検出した場合には、再生データＰ１を出力する旨を示す情報を含む第１制御信号を生成するとともに再生データＰ１を出力しない旨を示す情報を含む第２制御信号を生成する。制御信号生成部２２０は、例えば、人物Ｍが第２領域３２０の前に存在することを検出した場合には、再生データＰ１を出力しない旨を示す情報を含む第１制御信号を生成するとともに再生データＰ１を出力する旨を示す情報を含む第２制御信号を生成する。なお、再生データＰ１を出力しない旨を示す情報を含む第２制御信号や、再生データＰ１を出力しない旨を示す情報を含む第１制御信号については、生成しなくてもよい。
【００６０】
本実施形態では、検知装置４００としてカメラを１台設置することとするが、上記したように、検知装置４００の種類はカメラに限定されず、検知装置４００の台数も１台に限定されるものではない。例えば、検知装置４００が２台設置されている場合には、第１領域３１０に対応する検知装置４００によって人物Ｍが検出されると、制御信号生成部２２０は、再生データＰ１を出力する旨を示す情報を含む第１制御信号を生成する。また、例えば、第２領域３２０に対応する検知装置４００によって人物Ｍが検出されると、制御信号生成部２２０は、再生データＰ１を出力する旨を示す情報を含む第２制御信号を生成する。
【００６１】
制御信号生成部２２０は、所定の入力に基づいてオフセットを算出し、算出したオフセットを含む第１制御信号を生成することとしてもよい。同様に、制御信号生成部２２０は、所定の入力に基づいてオフセットを算出し、算出したオフセットを含む第２制御信号を生成することとしてもよい。制御信号生成部２２０は、例えば、検知装置４００によって取得された画像から人物Ｍの顔の位置を検出し、検出した顔の位置に応じてオフセットを算出する。制御信号生成部２２０は、例えば、第１領域３１０の位置を基準とした顔の位置のずれによって、第１制御信号に含めるオフセットを算出することができる。同様に、制御信号生成部２２０は、例えば、第１領域３１０の位置を基準とした顔の位置のずれによって、第２制御信号に含めるオフセットを算出することができる。第１領域３１０の位置や第２領域３２０の位置は、制御装置２００の図示しない記憶部によって記憶されていることとしてもよいし、第１情報処理装置１００Ａや第２情報処理装置１００Ｂによって取得されたものを受信することとしてもよい。
【００６２】
例えば、第１領域３１０と第２領域３２０との間に対応する検知装置４００がさらに設置されている場合には、その検知装置４００によって人物Ｍが検出されると、制御信号生成部２２０は、「第１領域３１０から第２領域３２０への向きに５０％」というオフセットを含む第１制御信号を生成するとともに「第２領域３２０から第１領域３１０への向きに５０％」というオフセットを含む第２制御信号を生成する。
【００６３】
制御信号生成部２２０は、取得部２１０によって取得された所定の入力に基づいて人物を検出し、検出した人物の数に基づいて第１制御信号と第２制御信号とを生成することとしてもよい。例えば、制御信号生成部２２０は、第１領域３１０の前のほうが第２領域３２０の前よりも検出した人物の数が多いと判断した場合には、再生データＰ１を出力する旨を示す情報を含む第１制御信号を生成する。また、例えば、制御信号生成部２２０は、第２領域３２０の前のほうが第１領域３１０の前よりも検出した人物の数が多いと判断した場合には、再生データＰ１を出力する旨を示す情報を含む第２制御信号を生成する。
【００６４】
図５に示した例では、制御信号生成部２２０は、第１領域３１０の前に存在する人物の数が２人であることを検出するとともに、第２領域３２０の前に存在する人物の数が１人であることを検出する。その結果、制御信号生成部２２０は、第２領域３２０の前に存在する人物の数のほうが多いと判断して、再生データＰ１を出力する旨を示す情報を含む第２制御信号を生成する。
【００６５】
制御信号生成部２２０は、取得部２１０によって取得された所定の入力に基づいて人物を検出し、検出した人物を解析することによって人物の属性を抽出し、抽出した属性に基づいて第１制御信号と第２制御信号とを生成することとしてもよい。図４に示した例では、制御信号生成部２２０は、第１領域３１０の前に存在する人物の属性として女性である旨を抽出し、女性向けのコンテンツを識別するためのコンテンツ識別情報を含む第１制御信号を生成する。各属性とコンテンツ識別情報とが対応付けられた情報としては、例えば、制御装置２００の図示しない記憶部によって記憶されているものを使用すればよい。また、制御信号生成部２２０は、抽出した属性に基づいて、文字の大きさ、文字の色などを識別するための文字識別情報を含む第１制御信号と第２制御信号とを生成することとしてもよい。各属性と文字識別情報とが対応づけられた情報としては、例えば、制御装置２００の図示しない記憶部によって記憶されているものを使用すればよい。
【００６６】
制御信号生成部２２０は、検出した人物を解析することによって人物の顔のサイズを抽出し、抽出した顔のサイズに基づいて第１制御信号と第２制御信号とを生成することとしてもよい。制御信号生成部２２０は、例えば、抽出した顔のサイズが閾値よりも小さい人物については、出力装置３００から遠くにいると判断して、再生データＰ１を出力する旨を示す情報を含む第１制御信号と第２制御信号とを生成しないこととすることもできる。
【００６７】
出力部２３０は、制御信号生成部２２０によって生成された第１制御信号を第１情報処理装置１００Ａに出力するとともに第２制御信号を第２情報処理装置１００Ｂに出力する機能を有するものである。
【００６８】
［１−１０．第１情報処理装置と第２情報処理装置とにおける同期処理］
図１０は、本発明の第１実施形態に係る第１情報処理装置と第２情報処理装置とにおける同期処理について説明するための図である。図１０を参照して、本発明の第１実施形態に係る第１情報処理装置と第２情報処理装置とにおける同期処理について説明する。
【００６９】
第１情報処理装置１００Ａと第２情報処理装置１００Ｂとは、それぞれが備える再生部１２０によってコンテンツデータを再生するが、再生部１２０によって再生が開始されるタイミングを完全に一致させるのは困難である場合がある。このような場合には、第１情報処理装置１００Ａと第２情報処理装置１００Ｂとの間で同期をとる処理が必要となる。
【００７０】
第１情報処理装置１００Ａと第２情報処理装置１００Ｂとの間で同期をとるために、第１情報処理装置１００Ａの同期信号生成部１７０は、コンテンツデータの再生位置に関して第２情報処理装置１００Ｂと同期をとるための同期信号を生成する。第１情報処理装置１００Ａの同期信号送信部１６０は、同期信号生成部１７０によって生成された同期信号を第２情報処理装置１００Ｂに送信する。第２情報処理装置１００Ｂの同期信号受信部１８０は、コンテンツデータの再生位置に関して第１情報処理装置１００Ａから同期信号を受信する。第２情報処理装置１００Ｂの再生位置調整部１９０は、同期信号受信部１８０によって受信された同期信号に基づいてコンテンツデータの再生位置を調整する。
【００７１】
図１０に示すように、例えば、時刻Ｔ１において第１情報処理装置１００Ａがコンテンツデータを再生し、時刻Ｔ１’において第２情報処理装置１００Ｂがコンテンツデータを再生したとする。このような場合に、例えば、第１情報処理装置１００Ａの再生部１２０は、コンテンツデータの再生位置を示す再生位置情報（例えば、ａ秒）と再生位置を再生した時刻を示す再生時刻情報（例えば、ａ秒後の再生位置を再生した時刻ｔ１）とをさらに取得する。第１情報処理装置１００Ａの同期信号生成部１７０は、再生部１２０によって取得された再生位置情報（例えば、ａ秒）と再生時刻情報（例えば、時刻ｔ１）とを含む同期信号を生成する。
【００７２】
第２情報処理装置１００Ｂの再生部１２０は、コンテンツデータの再生位置を示す再生位置情報（例えば、ａ秒）と再生位置を再生した時刻を示す再生時刻情報（例えば、時刻ｔ１’）とをさらに取得する。同期信号受信部１８０は、第１情報処理装置１００Ａにおけるコンテンツデータの再生位置を示す再生位置情報（例えば、ａ秒）と第１情報処理装置１００Ａにおいて再生位置を再生した時刻を示す再生時刻情報（例えば、時刻ｔ１）とを含む同期信号を受信する。再生位置調整部１９０は、同期信号受信部１８０によって受信された同期信号から再生位置情報（例えば、ａ秒）と再生時刻情報（例えば、時刻ｔ１）とを抽出し、抽出した再生位置情報（例えば、ａ秒）と再生時刻情報（例えば、時刻ｔ１）と、再生部１２０によって取得された再生位置情報（例えば、ａ秒）と再生時刻情報（例えば、時刻ｔ１’）とに基づいて再生部１２０によるコンテンツデータの再生を調整する。
【００７３】
図１０に示した例では、再生位置情報については第１情報処理装置１００Ａと第２情報処理装置１００Ｂとにおいて同じであるにも関わらず、再生時刻情報については第１情報処理装置１００Ａのほうが第２情報処理装置１００Ｂよりも遅い時刻を示すものである。したがって、このような場合には、再生位置調整部１９０は、再生部１２０によるコンテンツデータの再生位置を、ｔ１’−ｔ１秒だけ先にずらすことによって調整することができる。
【００７４】
［１−１１．制御装置によって実行される処理の流れ］
図１１は、本発明の第１実施形態に係る制御装置によって実行される処理の流れを示すフローチャートである。図１１を参照して、本発明の第１実施形態に係る制御装置によって実行される処理の流れについて説明する。
【００７５】
図１１に示すように、制御装置２００の取得部２１０は、検知装置４００によって検知された所定の入力の取得まで待機する（ステップＳ１０１）。制御装置２００の取得部２１０は、所定の入力を取得しない場合には（ステップＳ１０２で「Ｎｏ」）、ステップＳ１０１に戻る。制御装置２００の取得部２１０が所定の入力を取得した場合には（ステップＳ１０２で「Ｙｅｓ」）、制御装置２００の制御信号生成部２２０は、所定の入力に基づいて第１制御信号と第２制御信号とを生成する（ステップＳ１０３）。制御装置２００の出力部２３０は、第１制御信号を第１情報処理装置１００Ａに送信するとともに（ステップＳ１０４）、第２制御信号を第２情報処理装置１００Ｂに送信して（ステップＳ１０５）、ステップＳ１０１に戻る。
【００７６】
［１−１２．第１情報処理装置によって実行される処理の流れ］
図１２は、本発明の第１実施形態に係る第１情報処理装置によって実行される処理の流れを示すフローチャートである。図１２を参照して、本発明の第１実施形態に係る第１情報処理装置によって実行される処理の流れについて説明する。
【００７７】
図１２に示すように、第１情報処理装置１００Ａの再生部１２０は、コンテンツデータを再生し（ステップＳ２０１）、第１情報処理装置１００Ａの制御信号取得部１４０は、制御装置２００によって出力された第１制御信号の取得まで待機する（ステップＳ２０２）。第１情報処理装置１００Ａの制御信号取得部１４０は、第１制御信号を取得しない場合には（ステップＳ２０３で「Ｎｏ」）、ステップＳ２０２に戻る。第１情報処理装置１００Ａの制御信号取得部１４０が第１制御信号を取得した場合には（ステップＳ２０３で「Ｙｅｓ」）、第１情報処理装置１００Ａの出力制御部１５０は、第１制御信号からオフセットを抽出する（ステップＳ２０４）。続いて、第１情報処理装置１００Ａの出力制御部１５０は、オフセットの分だけ再生データＰ１をシフトさせることによってシフト後の再生データを生成する（ステップＳ２０５）。第１情報処理装置１００Ａの出力部１３０は、シフト後の再生データを第１領域３１０から出力させ（ステップＳ２０６）、ステップＳ２０２に戻る。
【００７８】
［１−１３．第２情報処理装置によって実行される処理の流れ］
図１３は、本発明の第１実施形態に係る第２情報処理装置によって実行される処理の流れを示すフローチャートである。図１３を参照して、本発明の第１実施形態に係る第２情報処理装置によって実行される処理の流れについて説明する。
【００７９】
図１３に示すように、第２情報処理装置１００Ｂの再生部１２０は、コンテンツデータを再生し（ステップＳ３０１）、第２情報処理装置１００Ｂの制御信号取得部１４０は、制御装置２００によって出力された第２制御信号の取得まで待機する（ステップＳ３０２）。第２情報処理装置１００Ｂの制御信号取得部１４０は、第２制御信号を取得しない場合には（ステップＳ３０３で「Ｎｏ」）、ステップＳ３０２に戻る。第２情報処理装置１００Ｂの制御信号取得部１４０が第２制御信号を取得した場合には（ステップＳ３０３で「Ｙｅｓ」）、第２情報処理装置１００Ｂの出力制御部１５０は、第２制御信号からオフセットを抽出する（ステップＳ３０４）。続いて、第２情報処理装置１００Ｂの出力制御部１５０は、オフセットの分だけ再生データＰ１をシフトさせることによってシフト後の再生データを生成する（ステップＳ３０５）。第２情報処理装置１００Ｂの出力部１３０は、シフト後の再生データを第２領域３２０から出力させ（ステップＳ３０６）、ステップＳ３０２に戻る。
【００８０】
＜２．第２実施形態（出力装置が複数の場合）＞
［２−１．  出力装置によるコンテンツ出力例（その１）］
図１４は、本発明の第２実施形態に係る出力装置によるコンテンツ出力例（その１）を示す図である。図１４を参照して、本発明の第２実施形態に係る出力装置によるコンテンツ出力例（その１）について説明する。
【００８１】
本発明の第１実施形態では、図１に示したように、出力装置３００に第１領域３１０と第２領域３２０とが備えられていたが、本発明の第２実施形態では、図１４に示すように、第１領域３１０が出力装置３００Ａに備えられ、第２領域３２０が出力装置３００Ｂに備えられている。その他については、第１実施形態に係る情報処理システム１０Ａと第２実施形態に係る情報処理システム１０Ｂとは同一の機能を有する。以下において、出力装置３００Ａと、出力装置３００Ｂとを特に区別する必要がない場合には、出力装置３００Ａと出力装置３００Ｂとを出力装置３００と表記することにする。図１４に示した例では、出力装置３００Ａが、第１領域３１０から再生データＰ１を出力している。
【００８２】
［２−２．  出力装置によるコンテンツ出力例（その２）］
図１５は、本発明の第２実施形態に係る出力装置によるコンテンツ出力例（その２）を示す図である。図１５を参照して、本発明の第２実施形態に係る出力装置によるコンテンツ出力例（その２）について説明する。
【００８３】
図１５に示した例では、出力装置３００Ａが、第１領域３１０から再生データＰ１の一部を出力し、出力装置３００Ｂが、第２領域３２０から残りの部分を出力している。
【００８４】
［２−３．  出力装置によるコンテンツ出力例（その３）］
図１６は、本発明の第２実施形態に係る出力装置によるコンテンツ出力例（その３）を示す図である。図１６を参照して、本発明の第２実施形態に係る出力装置によるコンテンツ出力例（その３）について説明する。
【００８５】
図１６に示した例では、出力装置３００Ｂが、第２領域３２０から再生データＰ１を出力している。
【００８６】
［２−４．  情報処理システムの構成例］
図１６は、本発明の第２実施形態に係る情報処理システムの構成例を示す図である。図１６を参照して、本発明の第２実施形態に係る情報処理システムの構成例について説明する。
【００８７】
第１実施形態に係る情報処理システム１０Ａは、出力装置３００を備えていたが、第２実施形態に係る第２情報処理装置１００Ｂは、出力装置３００Ａと出力装置３００Ｂとを備えている。出力装置３００Ａは、第１情報処理装置１００Ａと接続されており、出力装置３００Ｂは、第２情報処理装置１００Ｂと接続されている。
【００８８】
＜３．変形例＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８９】
例えば、上記実施形態では、情報処理システムは、人物を検出することとしたが、本発明はかかる例に限定されない。例えば、検出対象は人物以外のものであってもよく、乗り物や、動物などであってもよい。
【００９０】
また、上記実施形態では、第１領域と第２領域とが水平方向に並べられて設置されている例について説明したが、並べられる方向は、水平方向に限定されるものではなく、鉛直方向などであってもよい。また、上記したように、領域の数は２つ（第１領域および第２領域）に限定されるものではなく、３つ以上であってもよい。
【００９１】
＜４．まとめ＞
本実施形態によれば、出力装置のうちの各領域のそれぞれから同一のコンテンツを出力させることが可能であり、各領域から出力させる各コンテンツを制御することが可能である。
【００９２】
また、本実施形態に係る情報処理システムは、１つのコンテンツが分割されて得られる各分割コンテンツを複数のディスプレイ装置のそれぞれに表示させる既存のシステムとは異なるものである。つまり、既存のシステムでは、各分割コンテンツを事前にオーサリングする必要がある。それに対して、本実施形態に係る情報処理システムは、複数の情報処理装置が同一のコンテンツを扱うものである。したがって、各情報処理装置間において表示すべき内容や範囲を調整したり表示すべきタイミングについて同期をとったりする必要があるが、各分割コンテンツを事前にオーサリングする手間を省略することができる。
【符号の説明】
【００９３】
１０，１０Ａ，１０Ｂ  情報処理システム
１００  情報処理装置
１００Ａ  第１情報処理装置
１００Ｂ  第２情報処理装置
１１０  コンテンツデータ記憶部
１２０  再生部
１３０  出力部
１４０  制御信号取得部
１５０  出力制御部
１６０  同期信号送信部
１７０  同期信号生成部
１８０  同期信号受信部
１９０  再生位置調整部
２００  制御装置
２１０  取得部
２２０  制御信号生成部
２３０  出力部
３００，３００Ａ，３００Ｂ  出力装置
３１０  第１領域
３２０  第２領域
４００  検知装置
５００  ネットワーク
Ｐ１    再生データ
Ｐ２    再生データ
Ｍ      人物
【図１】
2011081483.tif 000003
【図２】
2011081483.tif 000004
【図３】
2011081483.tif 000005
【図４】
2011081483.tif 000006
【図５】
2011081483.tif 000007
【図６】
2011081483.tif 000008
【図７】
2011081483.tif 000009
【図８】
2011081483.tif 000010
【図９】
2011081483.tif 000011
【図１０】
2011081483.tif 000012
【図１１】
2011081483.tif 000013
【図１２】
2011081483.tif 000014
【図１３】
2011081483.tif 000015
【図１４】
2011081483.tif 000016
【図１５】
2011081483.tif 000017
【図１６】
2011081483.tif 000018
【図１７】
2011081483.tif 000019